(57)【特許請求の範囲】
【請求項１】
電気的接続部が設けられた接続面を有する接続ユニット及び該接続ユニットから延設された接続ケーブルからなる接続装置を、什器の上面に構成される取付け面から内部へと拡がる凹部に、前記取付け面から前記接続面が露出するように取付ける接続装置の取付け構造であって、
前記凹部に収容されるとともに、上方に開口し前記接続ユニットが収容された第一の収容部と、上方に開口し前記接続ケーブルが収容可能とされた第二の収容部とが、前記取付け面に沿って配列されたケースと、
前記第二の収容部の下方側の壁面に固定手段によって着脱可能に固定され、前記ケースの前記第二の収容部から側方に突出する被係止部材と、
前記什器の前記凹部の両側に設けられ、前記ケースを水平方向に支持する一対の水平支持部と、
前記什器の前記凹部に設けられ、前記ケースを鉛直方向上方に支持する上方支持部と、
前記什器の前記凹部に設けられ、前記被係止部材を鉛直方向下方に向かって係止する係止部と
を備えることを特徴とする接続装置の取付け構造。
【請求項２】
前記第二の収容部には、側方に向かって開口する側方開口部が形成され、
前記被係止部材は、該側方開口部から上方へと挿脱可能に構成されていることを特徴とする請求項１に記載の接続装置の取付け構造。
【請求項３】
前記係止部は前記什器の下面に構成され、
前記係止部には上方に延びる係止穴が形成され、
前記被係止部材には前記係止穴に係止される被係止部が設けられていることを特徴とする請求項１または請求項２に記載の接続装置の取付け構造。
【請求項４】
前記上方支持部には上方に向かって突出する突出部が設けられ、
前記ケースには、前記突出部に係合する係合部が設けられていることを特徴とする請求項１から請求項３のいずれかに記載の接続装置の取付け構造。
【発明の詳細な説明】
【技術分野】
【０００１】
本発明は、電気的接続部が設けられた接続装置を什器に取付けるための接続装置の取付け構造に関する。
【背景技術】
【０００２】
従来、オフィスや勉強部屋等の執務空間で使用されるデスク装置やテーブル等の什器において、使用者の使い勝手を向上させるために、什器の上面に設けられた取付け面に、電源線や情報線との接続を可能とする電気的接続部が設けられた接続装置が取付けられている場合がある。
什器の取付け面に接続装置を取付ける接続装置の取付け構造としては、たとえば、特許文献１に示すコンセントボックス取付け装置（接続装置の取付け構造）のような構成がある。このコンセントボックス取付け装置は、デスクの上面（取付け面）に形成された取付け孔（凹部）の両内縁に上方にＬ字状に延びるフックを形成している。そして、ほぼ直方体に形成されたコンセントボックス（接続ユニット）の両側面にＬ字を上下反転させた形状の支持部を備え、前記フックの上方にこの支持部を係合させるとともに、フックの下方にコンセントボックスから係止片を突出させている。そして、フックを支持部と係止片で挟持することにより、取付け孔を覆うように取付け面にコンセントボックスを取付けている。このコンセントボックス取付け装置によれば、ドライバー等の工具を必要とせず、きわめて簡易にコンセントボックスを着脱することができる。
【０００３】
また、特許文献２および特許文献３に示すコンセントボックスの取付け装置も、取付け孔に形成されたフックの形状は特許文献１のフックの形状と同様である。特許文献２では、支持枠にコンセントを挿入するときにコンセントに押されることによりフックの下部に係合部が係合するようになっており、特許文献３では、コンセントを固定した挟持板を天板に圧接することにより、コンセントボックスを天板に取付けている。
【先行技術文献】
【特許文献】
【０００４】
【特許文献１】実開平７−４２０４７号公報
【特許文献２】特開平７−７９８２２号公報
【特許文献３】実開平７−１７１３６号公報
【発明の概要】
【発明が解決しようとする課題】
【０００５】
一般に、上記特許文献１から特許文献３に示すような、取付け孔を覆うように取付けられるコンセントボックスを有する接続装置を取付け孔に取付けるためには、予め取付け孔内にコンセントボックスから延設された電源コード（接続ケーブル）を取付け孔内に収容した後で、コンセントボックスを取付け孔に取付けることになる。
しかしながら、上記特許文献１から特許文献３に示すコンセントボックス取付け装置では、電源コードは取付け孔内に収容されているので、コンセントボックスを取付け孔に取付けた後やコンセントボックスを取付け孔に取付けている間に電源コードを取扱うのが難しくなり、作業性が悪いという問題がある。
【０００６】
本発明は、このような問題点に鑑みてなされたものであって、凹部内に接続ユニットが取付けられているか否かに関わらず接続ケーブルを支障なく取扱うことができる接続装置の取付け構造を提供することを目的とする。
【課題を解決するための手段】
【０００７】
上記課題を解決するために、この発明は以下の手段を提案している。
本発明の接続装置の取付け構造は、電気的接続部が設けられた接続面を有する接続ユニット及び該接続ユニットから延設された接続ケーブルからなる接続装置を、什器の上面に構成される取付け面から内部へと拡がる凹部に、前記取付け面から前記接続面が露出するように取付ける接続装置の取付け構造であって、前記凹部に収容されるとともに、上方に開口し前記接続ユニットが収容された第一の収容部と、上方に開口し前記接続ケーブルが収容可能とされた第二の収容部とが、前記取付け面に沿って配列されたケースと、前記第二の収容部の下方側の壁面に固定手段によって着脱可能に固定され、前記ケースの前記第二の収容部から側方に突出する被係止部材と、前記什器の前記凹部の両側に設けられ、前記ケースを水平方向に支持する一対の水平支持部と、前記什器の前記凹部に設けられ、前記ケースを鉛直方向上方に支持する上方支持部と、前記什器の前記凹部に設けられ、前記被係止部材を鉛直方向下方に向かって係止する係止部とを備えることを特徴としている。
【０００８】
この発明によれば、被係止部材が固定されたケースは、一対の水平支持部により水平方向に支持され、上方支持部により上方に支持され、係止部によりに下方に係止されている。このため、ケースを什器の凹部内で水平方向および上下方向から安定して支持された状態とすることができる。その一方で、被係止部材をケースから取り外すことで、ケースが係止部に下向きに係止された状態を解除することができ、ケース及びケースに収容された接続装置を上方から凹部に着脱することが可能となる。
また、接続ケーブルは、接続ユニットが収容された第一の収容部に対して取付け面に沿って配列された位置にある第二の収容部に収容され、この第二の収容部の上方は開口されている。このため、凹部内で支持されたケースの第一の収容部に接続ユニットが取付けられるか否かにかかわらず、接続ケーブルを第二の収容部に収容したり、第二の収容部に収容された接続ケーブルを処理したりすることで、接続ケーブルを取り扱うときの作業性を向上させることができる。
【０００９】
また、上記の接続装置の取付け構造において、前記第二の収容部には、側方に向かって開口する側方開口部が形成され、前記被係止部材は、該側方開口部から上方へと挿脱可能に構成されていることがより好ましい。
この発明によれば、ケースを什器の凹部に挿入して、一対の水平支持部及び鉛直支持部に支持された状態で、被係止部材を第二の収容部の開口からアクセスして側方開口部に挿入させることで、容易に係止部に鉛直方向下方に向かって係止された状態とすることができる。
【００１０】
また、上記の接続装置の取付け構造において、前記係止部は前記什器の下面に構成され、前記係止部には上方に延びる係止穴が形成され、前記被係止部材には前記係止穴に係止される被係止部が設けられていることがより好ましい。
この発明によれば、什器の下面に平行であって水平方向に直交する方向に、被係止部材およびケースを位置決めすることができる。
【００１１】
また、上記の接続装置の取付け構造において、前記上方支持部には上方に向かって突出する突出部が設けられ、前記ケースには、前記突出部に係合する係合部が設けられていることがより好ましい。
この発明によれば、ケースが水平支持部から離間するのをより確実に防止することができる。
【発明の効果】
【００１２】
本発明の接続装置の取付け構造によれば、凹部内に接続ユニットが取付けられているか否かに関わらず接続ケーブルを支障なく取扱うことができる。
【図面の簡単な説明】
【００１３】
【図１】本発明の第１実施形態の取付け構造が装着されたデスク装置の斜視図である。
【図２】図１の要部拡大図である。
【図３】同取付け構造が装着されたデスク装置の側面断面図である。
【図４】同取付け構造の金具本体の斜視図である。
【図５】同取付け構造の止め金具の斜視図である。
【図６】同取付け構造に取付けられる接続装置の斜視図である。
【図７】同接続装置の接続ユニットを分解した斜視図である。
【図８】図３中の切断線Ｂ１−Ｂ１の断面図である。
【図９】図３中の切断線Ｂ２−Ｂ２の断面図である。
【図１０】同取付け構造の金具本体に止め金具を挿通させた状態を示す斜視図である。
【図１１】同金具本体に接続ユニットを取付ける手順を説明する断面図である。
【図１２】同金具本体に接続ユニットを取付ける手順を説明する断面図である。
【図１３】本発明の第２実施形態の取付け構造が装着されたデスク装置の側面断面図である。
【発明を実施するための形態】
【００１４】
（第１実施形態）
以下、本発明に係る接続装置の取付け構造（以下、「取付け構造」と称する。）の第１実施形態を、図１から図１２を参照しながら説明する。
この取付け構造は、図１に示すように、デスク装置（什器）１００の上面に設けられた取付け面１０１に、コンセント等の電気的接続部１５１を有する接続装置１５０を取付けるために用いられるものである。
なお、本実施形態では、什器がデスク装置１００で、取付け構造が後述する天板１０２の端部に取付けられる場合を例にとって説明するが、什器はデスク装置に限ることなく、テーブルや棚等でもよい。
【００１５】
図１および図２に示すように、デスク装置１００は、平面視で長方形に形成された板状の天板１０２と、天板１０２の使用者側となる前縁をなす長辺１０２ａに平行な左右方向Ｘの両端部に間隔をおいて一対取付けられた側面視コ字状の脚体１０３と、天板１０２の短辺１０２ｂに平行な前後方向（水平方向）Ｙの一方側における一対の脚体１０３、１０３間に立設された幕板１０４を備えている。
なお、天板１０２は、本実施形態では水平面に平行に配置されている。
また、以下では、説明の便宜のため、前後方向Ｙのうち、天板１０２に対して使用者側となる側を前方Ｙ１側とし、前方Ｙ１側と反対側となり幕板１０４が設けられている側を後方Ｙ２側とする。
【００１６】
幕板１０４の左右方向Ｘの両端部は、一対の脚体１０３にそれぞれ接続されている。天板１０２の下面の前方Ｙ１には、左右方向Ｘに延びる連結杆１０５が取付けられていて、連結杆１０５の両端部は一対の脚体１０３にそれぞれ接続されている。
これら天板１０２、脚体１０３、幕板１０４、および連結杆１０５は、一体となってデスク装置１００を強固に構成している。
なお、前述の取付け面１０１は天板１０２の上面となっている。
【００１７】
図３に示すように、本実施形態では、天板１０２および幕板１０４は互いに交差していなく、天板１０２の後縁は幕板１０４よりも前方Ｙ１側の所定の位置まで延びるとともに、幕板１０４の上縁は天板１０２よりも下方の所定の位置まで延びている。そして、天板１０２の取付け面１０１より下方であって天板１０２の後縁と幕板１０４との間に、デスク装置１００の内部へ拡がる凹部Ｓ１を形成している。
なお、説明の便宜上、図３においては接続装置１５０の内部を省略して示し、後述する図８、図９、図１１、および図１２においては接続装置１５０の内部の一部を省略して示している。
【００１８】
図３に示すように、幕板１０４は金属の板材等で形成されていて、その上方の端部には側面視でコ字状に形成されたフランジ部１０８が設けられている。
フランジ部１０８の上面には止め孔が形成されていて、この止め孔に、先端側が弾性変形可能な背面側通線カバー１０９がネジ部材１１０により着脱可能に取付けられている。背面側通線カバー１０９は、ＴＰＥ（サーモプラスチックエラストマー）ポリスチレン系樹脂等の軟質の樹脂材料で形成された軟質部１１１と、ＡＢＳ等の硬質の樹脂材料で形成された硬質部１１２とが一体に成形されることにより構成されている。
軟質部１１１は、上方に延びるように形成され、その先端部は前後方向Ｙに湾曲することができる。
硬質部１１２は、側面視でコ字状に形成され、幕板１０４のフランジ部１０８に係合している。硬質部１１２の上方の面の前方Ｙ１の部分には、上方に向かって突出する突出部１１２ａが設けられている。また、硬質部１１２の中で下方に配置された部材には、フランジ部１０８に係合するカバー側係合部１１２ｂが設けられている。
【００１９】
取付け構造１は、凹部Ｓ１に収容される金具本体（ケース）２と、金具本体２に着脱可能に固定された止め金具（被係止部材）３と、デスク装置１００において凹部Ｓ１の前方Ｙ１側に設けられた天板１０２の後方Ｙ２の側面（水平支持部）１０２ｃおよび下面（係止部）１０２ｄと、凹部Ｓ１の後方Ｙ２に設けられた背面側通線カバー１０９の硬質部１１２の前方Ｙ１側の側面（水平支持部）１１２ｃおよび硬質部１１２の上面（上方支持部）１１２ｄとを備えている。
天板１０２の下面１０２ｄには、上方に延びる係止穴１０２ｅが形成されている。
【００２０】
金具本体２は本実施形態では金属の板材で形成されていている。図３および図４に示すように、金具本体２は、側面視で上方に向かって開口するように略Ｕ字状に形成された第一の部材６と、平面視で前方Ｙ１に向かって開口するように略Ｕ字状に形成された第二の部材７とを有し、これら第一の部材６および第二の部材７を互いに溶接等で接続することにより構成されている。
第一の部材６は、左右方向Ｘに延びるように形成されていて、その左右方向Ｘの中央部には、下面および前方Ｙ１の側面にわたって連通された状態で開口する第一の通し孔（側方開口部）６ａが形成されている。同様に、第一の部材６には、第一の通し孔６ａの左右方向Ｘの両側に、下面および前方Ｙ１の側面にわたって連通された状態で開口する一対の第二の通し孔（側方開口部）６ｂがそれぞれ形成されている。
さらに、第一の部材６の下面の左右方向Ｘの中央部には、後述するネジ部材１４を挿通する貫通孔６ｃが形成されている。
【００２１】
第二の部材７の左右方向Ｘの両端部に配置された部分である一対の側壁７ａには、鉛直方向Ｚに沿って形成され内方に向かって突出する２つの凸条部８と、２つの凸条部８の間の側壁７ａに形成された貫通孔９とが設けられている。
また、それぞれの側壁７ａの下方には、上方に向かって没入し前述の背面側通線カバー１０９の突出部１１２ａに係合する係合部１０が設けられている。
【００２２】
第一の部材６の左右方向Ｘの端部は、第二の部材７の一対の側壁７ａにより部分的に塞がれていて、第一の部材６および第二の部材７の一対の側壁７ａで、上方に開口し下方は塞がれた第二の収容部Ｃ２が構成される。
そして、第二の部材７および第一の部材６の後方Ｙ２の側壁６ｄで、上方および下方に開口した第一の収容部Ｃ１が構成される。
このように、本実施形態では、第一の収容部Ｃ１の前方Ｙ１に第二の収容部Ｃ２が配列されている。
【００２３】
止め金具３は、本実施形態では金具本体２と同様に金属の板材で形成されていている。
図３および図５に示すように、止め金具３は、左右方向Ｘに延びる本体部１１と、本体部１１の左右方向Ｘの中央部に設けられ前方Ｙ１に延びる第一の腕部１２と、本体部１１の左右方向Ｘの両端部の前方Ｙ１に設けられた一対の第二の腕部１３とを有している。
本体部１１の前後方向Ｙの幅は、側面視で略Ｕ字状に形成された第一の部材６の前後方向Ｙの内寸よりもわずかに小さい程度に設定されている。そして、第一の腕部１２、第二の腕部１３の左右方向Ｘの幅は、金具本体２の第一の通し孔６ａ、第二の通し孔６ｂの左右方向Ｘの幅よりもそれぞれ小さく設定されている。これにより、止め金具３の第一の腕部１２、一対の第二の腕部１３は、金具本体２の第一の通し孔６ａ、一対の第二の通し孔６ｂに、それぞれ挿通させることができ、止め金具３は金具本体２に対して挿脱可能となっている。
また、止め金具３は、第一の腕部１２、一対の第二の腕部１３を金具本体２の第一の通し孔６ａ、一対の第二の通し孔６ｂに、それぞれ挿通させた状態で、腕部１２、１３を金具本体２の第二の収容部Ｃ２から下方に突出させた鉛直位置と、腕部１２、１３を前方Ｙ１に突出させた水平位置とに向きを変えることができる。
【００２４】
本体部１１の左右方向Ｘの中央部には、貫通孔１１ａが形成されている。また、金具本体２の第一の部材６の下方側の面には、ナット１５が、貫通孔６ｃとナット１５に形成された不図示のネジ孔とを連通させた状態で溶接等により固定されている（図３参照）。そして、止め金具３の貫通孔１１ａおよび金具本体２の貫通孔６ｃにそれぞれネジ部材１４を挿通した後で、ネジ部材１４にナット１５を螺着することにより、金具本体２に止め金具３を着脱可能に固定することができる。なお、これらネジ部材１４およびナット１５で、固定手段を構成する。
また、第一の腕部１２の前方Ｙ１の端部には、上方に向けて突出し天板１０２の係止穴１０２ｅに係止される被係止部１６が設けられている。
そして、図３に示すように、金具本体２は、凹部Ｓ１の前方Ｙ１および後方Ｙ２において、天板１０２の側面１０２ｃおよび背面側通線カバー１０９の側面１１２ｃにより前後方向Ｙから支持され、凹部Ｓ１の後方Ｙ２において、背面側通線カバー１０９の上面１１２ｄにより鉛直方向Ｚの上方に支持され、凹部Ｓ１の前方Ｙ１において、天板１０２の下面１０２ｄにより止め金具３を介して鉛直方向Ｚの下方に向かって係止されている。
【００２５】
図６に示すように、接続装置１５０は、コンセント１５２やＬＡＮコネクタ１５３等の前記電気的接続部１５１が設けられた接続面１５４を有する接続ユニット１５５と、接続ユニット１５５から延設された接続ケーブル１５６とを有している。本実施形態では、接続ユニット１５５は、左右方向Ｘに延びた形状に形成されている。
【００２６】
次に、接続ユニット１５５の内部構造について説明する。
図７に示すように、接続ユニット１５５は、略板状に形成された第一のカバー１５８および第二のカバー１５９と、カバー１５８、１５９の両端部に取付けられ略Ｌ字状に形成された第一のサイドカバー１６０および第二のサイドカバー１６１と、カバー１５８、１５９に着脱可能に取付けられる４つのケーシング１６２と、ケーシング１６２内に装着されるコンセントユニット１６３およびＬＡＮコネクタユニット１６４を有している。
なお、説明の便宜上、ケーシング１６２、コンセントユニット１６３、および後述するネジ部材１６５は、図７内にそれぞれ１つのみ示している。
なお、前述の接続面１５４は、サイドカバー１６０、１６１およびケーシング１６２の上面により構成されている。
【００２７】
第一のカバー１５８には６つの貫通孔１５８ａが、第二のカバー１５９には貫通孔１５８ａに対応する位置に６つのボス１５９ａがそれぞれ形成されている。
第一のサイドカバー１６０の外側の側面１６０ａには、鉛直方向Ｚに沿って形成され、側面１６０ａから没入する２つの保持溝１６７と、凸片１６８が設けられ基端が側面１６０ａに接続された首振り部材１６９とが設けられている。凸片１６８および首振り部材１６９は、２つの保持溝１６７の間に配置されている。
保持溝１６７の上方の端部には、金具本体２の凸条部８の端部を鉛直方向Ｚの所定の位置で保持する保持部１７０が形成されている。
首振り部材１６９は鉛直方向Ｚに延びるように形成され、その先端は接続面１５４まで延びている（図６参照）。首振り部材１６９は、首振り部材１６９と側面１６０ａとの間に形成されたスリットＲ１により基端のみが側面１６０ａに接続されていて、その先端は、首振り部材１６９の弾性により、凸片１６８が突出する左右方向Ｘに首振り可能になっている。これにより、凸片１６８は左右方向Ｘに進退可能となっている。
【００２８】
第二のサイドカバー１６１には、第一のサイドカバー１６０の側面１６０ａと平行に配置された側面１６１ａが形成され、側面１６１ａには、側面１６０ａと同様に、不図示の保持溝および首振り部材が設けられている。
サイドカバー１６０、１６１は、公知の嵌合構造によりカバー１５８、１５９に着脱可能に取付けることができる。
【００２９】
４つのケーシング１６２は、第一のサイドカバー１６０と第二のサイドカバー１６１の間に左右方向Ｘに一列に並べた状態で配置され、カバー１５８、１５９に着脱可能に取付けられている。それぞれのケーシング１６２内には、前記コンセント１５２が設けられたコンセントユニット１６３や前記ＬＡＮコネクタ１５３が設けられたＬＡＮコネクタユニット１６４が装着される。コンセントユニット１６３にはコンセント１５２に電気的に接続された電源線１６３ａが延設され、ＬＡＮコネクタユニット１６４にはＬＡＮコネクタ１５３に電気的に接続された情報線１６４ａが延設されている。
【００３０】
本実施形態では、接続ユニット１５５には、ケーシング１６２内にコンセントユニット１６３が装着されたものが３つ、ケーシング１６２内にＬＡＮコネクタユニット１６４が装着されたものが１つ備えられている。
３つのコンセントユニット１６３に設けられた電源線１６３ａ、およびＬＡＮコネクタユニット１６４に設けられた情報線１６４ａによって、前記接続ケーブル１５６が構成されている。
なお、接続ユニット１５５に備えられるケーシング１６２の数に制限は無く、ケーシング１６２内に装着されるユニットに設けられる電気的接続部１５１も、コンセント１５２やＬＡＮコネクタ１５３に限られず、ＵＳＢコネクタ等でもよい。
【００３１】
第一のカバー１５８と第二のカバー１５９は、ネジ部材１６５をそれぞれの貫通孔１５８ａに挿通させた状態でボス１５９ａに螺着させることにより、互いの間にサイドカバー１６０、１６１およびケーシング１６２を挟んだ状態で固定される。
このとき、図６に示すように、カバー１５８、１５９の間の上方からコンセント１５２およびＬＡＮコネクタ１５３が露出した状態に構成されるとともに、下方から接続ケーブル１５６が延びた状態に構成される。
【００３２】
図８に示すように、金具本体２のそれぞれの凸条部８は、接続ユニット１５５の保持溝１６７に挿入された状態で係合している。そして、これら凸条部８の上方の端部が保持部１７０に当接することにより、接続ユニット１５５は金具本体２に対して鉛直方向Ｚの所定の位置で保持され、この保持された状態で、図９に示すように接続ユニット１５５の凸片１６８が金具本体２の貫通孔９に係合するようになっている。
このように、保持溝１６７と凸条部８、貫通孔９と凸片１６８をそれぞれ係合させることにより、接続ユニット１５５は金具本体２の第一の収容部Ｃ１に収容された状態で金具本体２に固定される。
【００３３】
図３に示すように、金具本体２の上方は、金属の板材等で形成された配線カバー１７３で覆われている。配線カバー１７３は、水平面に平行に配置されたカバー本体１７４と、カバー本体１７４の前方Ｙ１に形成された前フランジ部１７５と、カバー本体１７４の後方Ｙ２に形成された後フランジ部１７６とを有している。
配線カバー１７３は、カバー本体１７４の上面１７４ａが取付け面１０１とほぼ同一平面上に位置するように配置されている。
カバー本体１７４には、接続ユニット用孔１７４ｂが形成されていて、上面１７４ａから接続ユニット１５５の接続面１５４が露出するように、配線カバー１７３は幕板１０４に不図示の嵌合部により着脱可能に取付けられている。
後フランジ部１７６は、後方Ｙ２の面が背面側通線カバー１０９の軟質部１１１の上方に配置されるとともに、この後方Ｙ２の面が幕板１０４とほぼ同一平面上に位置するように配置されている。そして、背面側通線カバー１０９の軟質部１１１を撓ませることにより、幕板１０４のフランジ部１０８と配線カバー１７３の後フランジ部１７６との間から前後方向Ｙに所望の電気配線を挿通させることができる。
【００３４】
天面側通線カバー１７９は、弾性変形可能な軟質部１８０と、軟質部１８０と一体に成形され、配線カバー１７３の前フランジ部１７５に装着された硬質部１８１とを有している。天面側通線カバー１７９の軟質部１８０、硬質部１８１は、背面側通線カバー１０９の軟質部１１１、硬質部１１２とそれぞれ同じ材料で形成されている。
軟質部１８０は、前後方向Ｙに沿った板状に形成されていて、その前方Ｙ１の端部は天板１０２の側面１０２ｃに接している。そして、軟質部１８０を撓ませることにより、天板１０２と配線カバー１７３の前フランジ部１７５との間から鉛直方向Ｚに所望の電気配線を挿通させることができる。
【００３５】
次に、以上のように構成された取付け構造１および接続装置１５０をデスク装置１００の天板１０２に取付ける手順について説明する。
まず、使用者は、幕板１０４のフランジ部１０８に背面側通線カバー１０９をネジ部材１１０により取付けた状態で、デスク装置１００の凹部Ｓ１に金具本体２を上方から挿入する。
すると、金具本体２は、凹部Ｓ１の前方Ｙ１および後方Ｙ２において、天板１０２の側面１０２ｃおよび背面側通線カバー１０９の側面１１２ｃにより前後方向Ｙから支持され、背面側通線カバー１０９の上面１１２ｄにより鉛直方向Ｚの上方に支持される。さらに、背面側通線カバー１０９の突出部１１２ａが金具本体２の係合部１０に係合する。
【００３６】
続いて、図１０に示すように、止め金具３を第一の腕部１２および第二の腕部１３が下方に突出するように配置し、金具本体２の第一の通し孔６ａ、一対の第二の通し孔６ｂに止め金具３の第一の腕部１２、一対の第二の腕部１３をそれぞれ挿通させて、止め金具３を鉛直位置に配置する。
そして、止め金具３を第二の収容部Ｃ２内で向きを変えて、腕部１２、１３が前方Ｙ１に突出した水平位置に配置する。このとき、図３に示すように、止め金具３の被係止部１６を天板１０２の係止穴１０２ｅに係止させる。ここで、ネジ部材１４を止め金具３の貫通孔１１ａおよび金具本体２の貫通孔６ｃにそれぞれ挿通させ、金具本体２に固定されたナット１５にネジ部材１４を螺着させることで、金具本体２に止め金具３が固定されるとともに、金具本体２に固定された止め金具３が天板１０２の下面１０２ｄにより鉛直方向Ｚの下方に向かって係止される。
【００３７】
次に、使用者は、接続装置１５０の接続ケーブル１５６を上方から金具本体２の第一の収容部Ｃ１に挿通させた後で、接続装置１５０の接続ユニット１５５を以下のようにして、金具本体２の第一の収容部Ｃ１に取付ける。
まず、図１１に示すように、接続ユニット１５５の側面１６０ａが金具本体２の側壁７ａに対向するように配置させつつ、接続ユニット１５５に設けられた合計４つの保持溝１６７に金具本体２の凸条部８をそれぞれ挿通させ、金具本体２に対して接続ユニット１５５を下方に移動させていく。
この間には、図１２に示すように、接続ユニット１５５の凸片１６８は金具本体２の側壁７ａに当接し、首振り部材１６９が撓むことにより左右方向Ｘに退避する。そして、接続ユニット１５５をさらに下方に移動させると、図８に示すように、凸条部８の上方の端部が保持部１７０に当接することにより、接続ユニット１５５が凸条部８に下方から支持される。そして、このとき、図９に示すように接続ユニット１５５の凸片１６８に対して金具本体２の貫通孔９が対向する位置にくるので、凸片１６８が首振り部材１６９の弾性力により左右方向Ｘの貫通孔９側に進出し、凸片１６８が貫通孔９に係合する。これにより、接続ユニット１５５が金具本体２に固定される。
【００３８】
続いて、接続ユニット１５５から延設された接続ケーブル１５６に必要な処置をしたり、接続ケーブル１５６を第二の収容部Ｃ２の上方または背面側通線カバー１０９側から後方Ｙ２に引き出したりした後で、接続ケーブル１５６における長さが余った部分を適宜第二の収容部Ｃ２に収容する。
そして、前フランジ部１７５に天面側通線カバー１７９が装着された配線カバー１７３を不図示の嵌合部により幕板１０４に取付ける。ここで、第二の収容部Ｃ２の上方に引き出された接続ケーブル１５６は、天面側通線カバー１７９の撓んだ軟質部１８０と天板１０２との間を通して上方に引き出され、後方Ｙ２に引き出された接続ケーブル１５６は、背面側通線カバー１０９の撓んだ軟質部１１１と配線カバー１７３との間を通して後方Ｙ２に引き出される。
【００３９】
なお、デスク装置１００の天板１０２から接続装置１５０および取付け構造１を取外すには、まず、幕板１０４から配線カバー１７３を取外す。そして、接続ユニット１５５の一対の首振り部材の先端を互いに近づけることで金具本体２の貫通孔９から接続ユニット１５５の凸片１６８を取外した状態で、接続装置１５０を上方に取外す。
そして、金具本体２に固定されたナット１５からネジ部材１４を取外し、止め金具３を前述の水平位置から鉛直位置に移動させてから、止め金具３および金具本体２をデスク装置１００から上方に取外す。
【００４０】
以上説明したように、本実施形態の取付け構造１によれば、止め金具３が固定された金具本体２は、天板１０２の側面１０２ｃおよび背面側通線カバー１０９の側面１１２ｃにより前後方向Ｙに支持され、背面側通線カバー１０９の上面１１２ｄより上方に支持され、天板１０２の下面１０２ｄにより下方に係止されている。このため、止め金具３が固定された金具本体２を、デスク装置１００の凹部Ｓ１内で前後方向Ｙおよび鉛直方向Ｚに安定して支持された状態とすることができる。
その一方で、止め金具３を金具本体２から取り外すことで、金具本体２が天板１０２の下面１０２ｄに下向きに係止された状態を解除することができ、金具本体２及び接続装置１５０を上方から凹部Ｓ１に着脱することが可能となる。
【００４１】
また、接続ケーブル１５６は、接続ユニット１５５が収容された第一の収容部Ｃ１に対して前方Ｙ１に配列された第二の収容部Ｃ２に収容され、この第二の収容部Ｃ２の上方は開口されている。このため、凹部Ｓ１内で支持された金具本体２の第一の収容部Ｃ１に接続ユニット１５５が取付けられるか否かに関わらず、接続ケーブル１５６を第二の収容部Ｃ２に収容したり、第二の収容部Ｃ２に収容された接続ケーブル１５６を取出したりすることができ、接続ケーブル１５６を取扱うときの作業性を向上させることができる。
【００４２】
そして、第二の収容部Ｃ２には通し孔６ａ、６ｂが形成され、止め金具３は、通し孔６ａ、６ｂから上方へと挿脱可能に構成されている。このため、金具本体２をデスク装置１００の凹部Ｓ１に挿入して、天板１０２の側面１０２ｃ、背面側通線カバー１０９の側面１１２ｃ、および背面側通線カバー１０９の上面１１２ｄに支持された状態にする。そして、止め金具３を第二の収容部Ｃ２の開口からアクセスして通し孔６ａ、６ｂに挿入させることで、容易に止め金具３を天板１０２の下面１０２ｄに鉛直方向Ｚの下方に向かって係止された状態とすることができる。
【００４３】
また、係止部は天板１０２の下面１０２ｄに構成され、下面１０２ｄには上方に延びる係止穴１０２ｅが形成され、止め金具３には係止穴１０２ｅに係止される被係止部１６が設けられている。したがって、止め金具３および金具本体２を天板１０２に対して左右方向Ｘに位置決めすることができる。
そして、背面側通線カバー１０９の上面１１２ｄには上方に向かって突出する突出部１１２ａが設けられ、金具本体２には突出部１１２ａに係合する係合部１０が設けられているので、金具本体２が背面側通線カバー１０９の側面１１２ｃから離間するのをより確実に防止することができる。
さらに、金具本体２に接続装置１５０を固定した状態で、不図示の嵌合部により幕板１０４に配線カバー１７３を着脱可能に取付けることができる。
【００４４】
なお、本実施形態では、背面側通線カバー１０９を備えずに、幕板１０４のフランジ部１０８に直接金具本体２を係止させてもよい。
また、天板１０２に対して止め金具３および金具本体２を左右方向Ｘに位置決めする必要が無い場合、または位置決めを使用者が独自に行う場合には、天板１０２の係止穴１０２ｅおよび止め金具３の被係止部１６は備えられなくてもよい。
そして、金具本体２が背面側通線カバー１０９の側面１１２ｃから離間する恐れが少ないときには、背面側通線カバー１０９の突出部１１２ａおよび金具本体２の係合部１０は備えられなくてもよい。
【００４５】
（第２実施形態）
次に、本発明の第２実施形態について説明するが、前記実施形態と同一の部位には同一の符号を付してその説明は省略し、異なる点についてのみ説明する。
図１３に示すように、本実施形態の取付け構造２０１は、デスク装置１００の天板１０２の中央部に形成された開口である凹部Ｓ２に取付けられるものである。
取付け構造２０１は、凹部Ｓ２に収容される金具本体（ケース）２０２と、金具本体２０２に着脱可能に固定された止め金具３と、デスク装置１００の側面１０２ｃおよび下面１０２ｄと、凹部Ｓ２の後方Ｙ２に設けられたフック部２０３の前方Ｙ１側の側面（水平支持部）２０３ａおよび上面（上方支持部）２０３ｂとを備えている。
【００４６】
金具本体２０２は、前述の第一の部材６と、側面視で上方に向かってＵ字状に開口するように形成された第二の部材２０６とを有し、これら第一の部材６および第二の部材２０６を互いに溶接等で接続することにより構成されている。
第二の部材２０６の後方Ｙ２にはフランジ部２０７が形成され、デスク装置１００のフック部２０３と係合している。第二の部材２０６には、前記実施形態と同様に不図示の凸条部８および貫通孔９が設けられていて、第二の部材２０６により構成される第一の収容部Ｃ３に接続ユニット１５５を固定することができる。
本実施形態では、第一の収容部Ｃ３の前方Ｙ１に第二の収容部Ｃ２が配列されている。
【００４７】
このように構成された本実施形態の取付け構造２０１によれば、凹部Ｓ２内に接続ユニット１５５が取付けられているか否かに関わらず、接続ケーブル１５６を支障なく取扱うことができる。
【００４８】
以上、本発明の第１実施形態及び第２実施形態について図面を参照して詳述したが、具体的な構成はこの実施形態に限られるものではなく、本発明の要旨を逸脱しない範囲の構成の変更等も含まれる。
たとえば、上記第１実施形態及び第２実施形態では、接続ユニット１５５を収容する第一の収容部の前方Ｙ１に接続ケーブル１５６を収容する第二の収容部を配列したが、第二の収容部の前方Ｙ１に第一の収容部を配列してもよい。
【符号の説明】
【００４９】
１、２０１  接続装置の取付け構造
２、２０２  金具本体（ケース）
３    止め金具（被係止部材）
６ａ  第一の通し孔（側方開口部）
６ｂ  第二の通し孔（側方開口部）
１０  係合部
１６  被係止部
１００  デスク装置（什器）
１０１  取付け面
１０２ｃ、１１２ｃ、２０３ａ  側面（水平支持部）
１０２ｄ  下面（係止部）
１０２ｅ  係止穴
１１２ａ  突出部
１１２ｄ、２０３ｂ  上面（上方支持部）
１５１  電気的接続部
１５４  接続面
１５５  接続ユニット
１５６  接続ケーブル
Ｃ１、Ｃ３  第一の収容部
Ｃ２  第二の収容部
Ｓ１、Ｓ２  凹部
Ｙ    前後方向（水平方向）
【図１】
0005572363.tif 000002
【図２】
0005572363.tif 000003
【図３】
0005572363.tif 000004
【図４】
0005572363.tif 000005
【図５】
0005572363.tif 000006
【図６】
0005572363.tif 000007
【図７】
0005572363.tif 000008
【図８】
0005572363.tif 000009
【図９】
0005572363.tif 000010
【図１０】
0005572363.tif 000011
【図１１】
0005572363.tif 000012
【図１２】
0005572363.tif 000013
【図１３】
0005572363.tif 000014